(57)【特許請求の範囲】
【請求項１】
本体筐体に形成された吸込み口と吐出口とを結ぶ空気通路に脱臭フィルターと送風機とを設けてなる空気清浄機において、
前記脱臭フィルターの風上側に紫外線ランプと網目状の光触媒部とを設け、前記紫外線ランプの風上側に紫外線を前記脱臭フィルターに反射させる反射板を設けると共に、
同反射板の一部に風穴を設けたことを特徴とする空気清浄機。
【請求項２】
本体筐体に形成された吸込み口と吐出口とを結ぶ空気通路に脱臭フィルターと送風機とを設けてなる空気清浄機において、
前記脱臭フィルターの風上側に紫外線ランプと網目状の光触媒部とを設け、前記紫外線ランプの風上側に紫外線を前記脱臭フィルターに反射させる反射板を設けると共に、
同反射板の風上側に、紫外線吸収剤、又は紫外線散乱剤を配合された繊維で形成されたプレフィルターを配置したことを特徴とする空気清浄機。
【請求項３】
本体筐体に形成された吸込み口と吐出口とを結ぶ空気通路に脱臭フィルターと送風機とを設けてなる空気清浄機において、
前記脱臭フィルターの風上側に紫外線ランプと網目状の光触媒部とを設け、前記紫外線ランプの風上側に紫外線を前記脱臭フィルターに反射させる反射板を設けると共に、
前記脱臭フィルターは２枚の不織布の間に活性炭を挟み込んで形成され、前記不職布のうち風上側の不織布は、紫外線吸収剤を配合された不織布で形成されていることを特徴とする空気清浄機。
【発明の詳細な説明】
【０００１】
【発明の属する技術分野】
本発明は、空気清浄機に係わり、より詳細には、悪臭成分を除去すると同時に空気殺菌を行う空気清浄機に関する。
【０００２】
【従来の技術】
従来、空気清浄機は、特開平４−２６８８５号公報や特開平６−３０４４２７号公報に示されるように、専ら空気中のホコリ微粒子を捕集する目的で製作され、あわせて付加的に脱臭を行うように製作されていた。しかし、このような従来の空気清浄機では、次のような問題があった。一つは空気中の強い悪臭成分の除去ができなかった。さらにもう一つは、空気中にはせき、くさめ、会話などによる飛沫や、塵埃に付着して浮遊している空中細菌・雑菌の類が多数存在するが、これらの除去がほとんどできなかった。
【０００３】
【発明が解決しようとする課題】
本発明においては、上記の問題点に鑑み、空気中の悪臭成分を除去すると同時に空気殺菌を行う空気清浄機を提供することを目的とする。
【０００４】
【課題を解決するための手段】
本発明は上述の課題を解決するため、本体筐体に形成された吸込み口と吐出口とを結ぶ空気通路に脱臭フィルタと送風機とを設けてなる空気清浄機において、前記脱臭フィルターの風上側に紫外線ランプと網目状の光触媒部とを設け、前記紫外線ランプの風上側に紫外線を前記脱臭フィルターに反射させる反射板を設けると共に同反射板の一部に風穴を設けた構成となっている。
【０００５】
または、本体筐体に形成された吸込み口と吐出口とを結ぶ空気通路に脱臭フィルタと送風機とを設けてなる空気清浄機において、前記脱臭フィルターの風上側に紫外線ランプと網目状の光触媒部とを設け、前記紫外線ランプの風上側に紫外線を前記脱臭フィルターに反射させる反射板を設けると共に、同反射板の風上側に、紫外線吸収剤、又は紫外線散乱剤を配合された繊維で形成されたプレフィルターを配置した構成となっている。
【０００６】
あるいは、本体筐体に形成された吸込み口と吐出口とを結ぶ空気通路に脱臭フィルタと送風機とを設けてなる空気清浄機において、前記脱臭フィルターの風上側に紫外線ランプと網目状の光触媒部とを設け、前記紫外線ランプの風上側に紫外線を前記脱臭フィルターに反射させる反射板を設けると共に、前記脱臭フィルターは２枚の不織布の間に活性炭を挟み込んで形成され、前記不職布のうち風上側の不織布は、紫外線吸収剤を配合された不織布で形成された構成となっている。
【０００７】
【０００８】
【０００９】
【００１０】
【００１１】
【００１２】
【００１３】
【００１４】
【００１５】
【００１６】
【発明の実施の形態】
以下、本発明の実施の形態を、添付図面に基づいた実施例として説明する。図１は本発明による空気清浄機の縦断面図、図２は図１のＡ−Ａ部における横断面図である。図１と図２において、１は空気清浄機の本体筐体、２は前記本体筐体１の側面に形成された吸込み口、３は前記本体筐体１の頂面に形成された吐出口、４は脱臭フィルター、５は送風機、６はモータである。前記本体筐体１の吸込み口２と吐出口３とを結んで空気通路７が形成され、前記空気通路７中に前記脱臭フィルター４と送風機５とが設けられている。前記脱臭フィルター４の風上側には、紫外線ランプ８と網目状の光触媒部９とが設けられ、前記紫外線ランプ８の風上側には、紫外線を前記脱臭フィルター４に反射させる反射板１０が設けられている。前記反射板１０の一部には風穴１１が設けられ、前記吸込み口２から吸込まれた空気が十分に前記光触媒部９および前記脱臭フィルター４に接触するよう、形成されている。
【００１７】
このように形成されているため、前記光触媒部９および前記脱臭フィルター４による脱臭効果により、本発明による空気清浄機は、空気中の種々の悪臭成分を高率よくかつ強力に除去できるという効果がある。また、前記紫外線ランプ８の風上側に反射板１０を設けているため、紫外線が前記脱臭フィルター４にまんべんなく反射され、前記反射板１０と脱臭フィルター４とに囲まれた空間の空気だけでなく、前記脱臭フィルター４の表面にまで紫外線が照射されるという効果がある。
【００１８】
前記網目状の光触媒部９は、前記紫外線ランプ８の周囲に取り巻いて設けられている。なお、前記網目状の光触媒部９は、前記紫外線ランプ８の周囲に取り巻く代わりに、前記網目状の光触媒部９を略Ｕ字状に形成し、前記紫外線ランプ８の周囲に近接して配置してもよい。（図４参照）前記紫外線ランプ８は、主波長が１００〜２８０ナノメートルの範囲の殺菌用紫外線ランプで構成されている。通常の光触媒励起用のランプは、殺菌効果がほとんど無い主波長３１５〜４００ナノメートルの範囲の近紫外線ランプであるが、本発明においては、前記網目状の光触媒部９が前記紫外線ランプ８の周囲に取り巻いて設けられているため、主波長が前記３１５〜４００ナノメートルより短い１００〜２８０ナノメートルの範囲の殺菌用紫外線ランプでも、光触媒の励起が可能であるという効果がある。このように形成されているため、本発明においては、前記反射板１０と脱臭フィルタ４とに囲まれた空間の空気と、前記脱臭フィルタ４の表面とを、殺菌用紫外線で強力に殺菌できるという効果がある。
【００１９】
前記反射板１０の風上側には、空気中の粗ゴミを捕集するプレフィルター１２が配置されており、前記プレフィルター１２は、紫外線吸収剤（図示せず）を配合された繊維で形成されている。なお、前記プレフィルター１２を、紫外線散乱剤（図示せず）の配合された繊維で形成してもよい。このように形成することにより、空気中の粗ゴミを捕集するという本来の効果のほかに、前記反射板１０の風穴１１を通過した紫外線、あるいは前記紫外線ランプ８から照射されて前記脱臭フィルター４に反射した紫外線が、前記プレフィルター１２の紫外線吸収剤による吸収または紫外線散乱剤による筐体内部への散乱によって、前記本体筐体１の吸込み口２の開口部から外部に漏れることを防止できるという効果がある。
【００２０】
図３は前記脱臭フィルター４の断面を示すものである。図３において、前記脱臭フィルター４は、２枚の不織布１３ａ、１３ｂの間に活性炭１４を挟み込んで形成され、プリーツ状に折りたたまれて形成ている。前記脱臭フィルター４を構成する２枚の不織布１３ａ、１３ｂのうち、風上側の不織布１３ａは、１マイクロメートル以上のホコリ粒子を捕集する集塵材で形成されている。このように形成されることにより、空気中の悪臭成分を除去したり空気殺菌を行ったりするだけでなく、例えば居室内に飼っているペットから浮遊する毛や、在宅介護している高齢者のリネン交換時のワタボコリなどを、同時に除去できるという効果がある。前記脱臭フィルター４を構成する２枚の不織布１３ａ、１３ｂのうち風上側の不織布１３ｂを、紫外線吸収剤（図示せず）が配合された不織布で形成してもよい。このように形成することにより、紫外線が前記紫外線ランプ８から照射されて前記脱臭フィルター４に反射するのを防止できる、という効果がある。
【００２１】
前記脱臭フィルター４を構成する活性炭１４を、銀添着活性炭（図示せず）で形成してもよい。このように形成することにより、前記活性炭１４に添着した銀イオンが細胞内核たんぱくを変化させ細胞の生命維持や新陳代謝に障害をもたらすという作用により、ＭＲＳＡと呼ばれ院内感染の元凶となるメチシリン耐性黄色ブドウ球菌などが、前記脱臭フィルター４を構成する活性炭１４内に棲み付いて繁殖するのを防止できる、という効果がある。
【００２２】
図４は本発明による光触媒部の他の実施例を示すものである。図４において、前記網目状の光触媒部９は略Ｕ字状に形成されており、前記紫外線ランプ８の周囲に近接して配置されている。このように形成されていることにより、前記光触媒部９の前記紫外線ランプ８の周囲への取付け・取り外しが容易となり、前記光触媒部９を前記本体筐体１から取り外して洗浄することにより脱臭効果を長期的に維持できる、という効果がある。
【００２３】
【発明の効果】
以上説明したように、本発明による空気清浄機によれば、空気中の悪臭成分を除去すると同時に空気殺菌を行うようにした空気清浄機となる。
【図面の簡単な説明】
【図１】本発明による空気清浄機の縦断面図である。
【図２】本発明による空気清浄機の、図１のＡ−Ａ部における横断面図である。
【図３】本発明による脱臭フィルターの断面図である。
【図４】本発明による光触媒部の他の実施例を示す斜視図である。
【符号の説明】
１  本体筐体
２  吸込み口
３  吐出口
４  脱臭フィルター
５  送風機
６  モータ
７  空気通路
８  紫外線ランプ
９  光触媒部
１０  反射板
１１  風穴
１２  プレフィルター
１３ａ、１３ｂ  不織布
１４  活性炭
【図１】
0004310874.tif 000002
【図２】
0004310874.tif 000003
【図３】
0004310874.tif 000004
【図４】
0004310874.tif 000005